(57)【要約】複数人が同時にブルートゥース（短距離無線方式）ヘッドフォンを介して、ブルートゥース携帯電話で通話するための手段を提供すること。【解決手段】双方向ボイス伝送を有するブルートゥースヘッドフォンハウジングは、本体に信号伝送端を有するブルートゥースヘッドフォンを結合することができるものである。ブルートゥースヘッドフォンが遠距離からのボイス情報を受信すると、ブルートゥースヘッドフォンにおけるボイス伝送切替えユニットにより、ブルートゥースヘッドフォンハウジングにおける拡声ユニットへ伝送して声を発生し、かつ、ユーザーはブルートゥースヘッドフォンハウジングにおけるボイス捕獲ユニットにより受信すると共に、集音されたボイス情報を増幅ユニットによりブルートゥースヘッドフォンに伝送し、双方向ボイス伝送を完成する。【選択図】図５
0003115124.tif 000002
【実用新案登録請求の範囲】
【請求項１】
ブルートゥースヘッドフォンを結合することに用いられる双方向ボイス伝送機能を有するブルートゥースヘッドフォンハウジングであって
前記ブルートゥースヘッドフォンを収納し、前記ブルートゥースヘッドフォンに信号伝送端及びボイス伝送切替えユニットを有する本体と、
前記本体に設置され、前記ブルートゥースヘッドフォンが前記本体に固着に配置される際に、前記ブルートゥースヘッドフォンの前記信号伝送端に電気的に接続される増幅ユニットと、
前記本体に設置され、前記増幅ユニットに電気的に接続される拡声ユニットと、
前記本体に設置され、前記増幅ユニットに電気的に接続されるボイス集音ユニットとを含み、
前記ブルートゥースヘッドフォンが遠距離からのボイス情報を受信する場合は、前記ボイス伝送切替えのユニットはボイス情報の伝送方向を自動的に切替え、前記拡声ユニットと前記ボイス集音ユニットの作動により双方向ボイス伝送を達することを特徴とする双方向ボイス伝送機能を有するブルートゥースヘッドフォンハウジング。
【請求項２】
更に前記本体に設置される充電ユニットを有し、かつ、前記ブルートゥースヘッドフォンが前記本体に固着に配置される際に、前記ブルートゥースヘッドフォンに電気的に接続される信号伝送端が前記信号伝送端により前記ブルートゥースヘッドフォンに充電することを特徴とする請求項1に記載する双方向ボイス伝送機能を有するブルートゥースヘッドフォンハウジング。
【請求項３】
前記拡声ユニットがスピーカーであることを特徴とする請求項1に記載する双方向ボイス伝送機能を有するブルートゥースヘッドフォンハウジング。
【請求項４】
前記ボイス集音ユニットがマイクロフォンであることを特徴とする請求項1に記載する双方向ボイス伝送機能を有するブルートゥースヘッドフォンハウジング。
【考案の詳細な説明】
【技術分野】
【０００１】
本考案はブルートゥース（短距離無線技術）ヘッドフォンと結合すると共に、双方向ボイス伝送を自動的に切替えるブルートゥースヘッドフォンハウジングである。
【背景技術】
【０００２】
ブルートゥース（Bluetooth、登録商標）はローコスト、ローパワー及び短距離のワイヤレス通信の技術に属し、誰でもの携帯通信設備に汎用される。ブルートゥース技術のワイヤレス伝送の機能によりブルートゥースヘッドフォン、携帯可能の携帯時計及び指に直接に掛ける通信装置が設計される。これらの製品はブルートゥースを内蔵すると、ワイヤレス伝送だけではなく、インターネットと電子メールの受信、送信の機能を提供するので、人間に使いやすくなる。
【０００３】
市販のブルートゥースヘッドフォンの種類が多く、ブルートゥース携帯電話と合わせて使用することが多い。ユーザーはブルートゥースヘッドフォンを掛け、標準バンドによりブルートゥース携帯電話とは双方向の伝送を行うようにする。いつでも何処でも、ユーザーはブルートゥース技術のワイヤレス伝送の機能によりマイクロフォン電話の効果を達することができる。
【０００４】
図１は従来に係るブルートゥースヘッドフォンとブルートゥース携帯電話の通信構造を示す図である。従来のブルートゥース通信構造では、ブルートゥース携帯電話３０からの着音ボイスメッセージをブルートゥース通信によりブルートゥース携帯電話１０に無線伝送し、かつ、伝送しようとするボイスメセージ３２をブルートゥース携帯電話１０を通じてブルートゥース無線通信技術によりブルートゥース携帯電話３０に無線伝送する。こうして、ユーザーは何処でも電話を取る際にマイクロフォン電話の効果を達することができる。
【０００５】
図１と合わせて図２を参照しつつ従来に係るブルートゥースヘッドフォン内部回路ブロック概略図を説明する。電話を取ると、ブルートゥース携帯電話１０におけるワイヤレス通信ユニット１０１が遠距離に位置するブルートゥース携帯電話３０から送った着音ボイスメッセージ２０を受信する。この時に、着音ボイスメッセージ２０がデジタル信号プロセッサー１０２へ伝送され処理し、前記デジタル信号プロセッサー１０２内の一ボイス伝送及びエンコーダー/デコーダーユニット１０６によりデコードした後、着音ボイスメッセージ２０は前記ヘッドフォン１０４から送り出され、ユーザーにはっきり聞こえる。
【０００６】
また、ユーザーが前記マイクロフォン１０３を通じ、応答ボイスメッセージ２２を前記デジタル信号プロセッサー１０２内の一ボイス伝送及びエンコーダー/デコーダーユニット１０６に伝送する。応答ボイスメッセージ２２が前記ボイス伝送及びエンコーダー/デコーダーユニット１０６によりエンコードした後、ワイヤレス通信ユニット１０１に伝送され、前記ワイヤレス通信ユニット１０１によりボイスメッセージ２２を遠距離のブルートゥース携帯電話３０へ送信し、ひいては双方向ボイス伝送を図る。かつ、ユーザーが何処でも電話を取る際にマイクロフォン電話の効果を達することができる。
【考案の開示】
【考案が解決しようとする課題】
【０００７】
しかし、電話を取る際に、ブルートゥース携帯電話１０は単に一人のみに使用可能であり、二人以上か多人数なら電話の使用は不可能であるので、人々の生活か仕事における通話品質と通話ニーズに十分対応したものではなかった。
【０００８】
本考案は双方向ボイス伝送を有するブルートゥースヘッドフォンハウジングであり、ブルートゥースヘッドフォンと結合できると共に、結合する際にボイス情報の伝送方向を自動的に切替え、ブルートゥースヘッドフォンハウジングにおける拡声ユニットとボイス集音ユニットを採用し、双方向ボイス伝送を完成する。
【課題を解決するための手段】
【０００９】
本考案は双方向ボイス伝送を有するブルートゥースヘッドフォンハウジングであり、本体にブルートゥースヘッドフォンを収納し、かつ、前記ブルートゥースヘッドフォンはボイス伝送切替えユニットにより信号伝送端を接続し、本体には増幅ユニットと、拡声ユニットと、ボイス集音ユニットが互いに電気的に接続される。前記増幅ユニットは前記ブルートゥースヘッドフォンが前記本体に固着に配置される際に、ブルートゥースヘッドフォンの信号伝送端に電気的に接続され、ブルートゥースヘッドフォンとは電気的に連結される。ブルートゥースヘッドフォンが遠距離からのボイス情報を受信すると、ブルートゥースヘッドフォンにおけるボイス伝送切替えユニット、信号伝送端により、ブルートゥースヘッドフォンハウジングにおける拡音ユニットへ伝送し、音を発生させ、かつ、ユーザーはブルートゥースヘッドフォンハウジングにおけるボイス集音ユニットにより受信すると共に、集音されたボイス情報を信号伝送端によりブルートウースヘッドフォンに伝送し、双方向ボイス伝送を完成できる。
【考案の効果】
【００１０】
本考案はブルートゥースヘッドフォンに結合され、かつ、拡声ユニットを通じブルートゥースヘッドフォンが遠距離の携帯電話からの着音ボイスメッセージを増幅し、多人数にはっきり聞こえる。しかも、本考案はボイス集音ユニットを利用し、多人数のボイスメッセージをブルートゥースヘッドフォンに伝送し、かつ、ブルートゥースヘッドフォンによりそれを遠距離の携帯電話へ伝送し、双方向ボイス伝送を完成できる。こうして、ユーザーは本考案を利用し二人以上の効果を達成でき、人々の生活か仕事における通話品質と通話ニーズを高めるようになる。
【考案を実施するための最良の形態】
【００１１】
本考案の特徴と技術内容をより理解できるようにするために、本考案に係る詳細な説明と添付図面を参照しつつ説明する。しかし、添付図面は単に説明のための参考にすぎず、本考案の技術的範囲を制限するものではない。
【００１２】
図３は本考案とブルートゥースヘッドフォンの外観簡略図を示す。本考案は双方向ボイス伝送を有するブルートゥースヘッドフォンハウジング４０であり、ブルートゥースヘッドフォン５０を結合することに使用される。図４は本考案がブルートゥースヘッドフォンの外観に結合される概略を示す図である。本考案の双方向ボイス伝送を有するブルートゥースヘッドフォンハウジング４０は、ブルートゥースヘッドフォン５０を収納する本体４０１を含む。
【００１３】
図５は本考案のブルートゥースヘッドフォンと結合する際の回路ブロック概略を示す図である。双方向ボイス伝送を有するブルートゥースヘッドフォンハウジング４０はブルートゥースヘッドフォン５０を結合でき、使用される。また、図６はブルートゥースヘッドフォン内部回路の概略図である。前記ブルートゥースヘッドフォン５０はブルートゥースモジュール５０１、信号伝送端５０２、ヘッドフォン５０４、ボイス伝送切替えユニット５０５及びマイクロフォン５０３から構成される。ブルートゥースヘッドフォン５０は信号伝送端５０２と双方向ボイス伝送を有するブルートゥースヘッドフォンハウジング４０により電気的に接続する。
【００１４】
図７、図５と合わせて参照すると、図７は双方向ボイス伝送を有するブルートゥースヘッドフォンハウジング内部回路の概略図である。双方向ボイス伝送を有するブルートゥースヘッドフォンハウジング４０の本体４０１（図４に示すように）内部回路ユニットは増幅ユニット４０２、拡声ユニット４０３及びボイス集音ユニット４０４を含む。増幅ユニット４０２はブルートゥースヘッドフォン５０が双方向ボイス伝送を有するブルートゥースヘッドフォンハウジング４０の本体４０１に固着に設置される場合はブルートゥースヘッドフォン５０の信号伝送端５０２に電気的に接続する。また、拡声ユニット４０３及びボイス集音ユニット４０４は前記増幅ユニット４０２に電気的に接続される。
【００１５】
また、前記ブルートゥースヘッドフォン５０が遠距離からのボイスメッセージを取ると、ボイス伝送切替えユニット５０５はボイスメッセージの伝送方向を自動的に切替えることができ、ブルートゥースヘッドフォンハウジング４０内の前記拡声ユニット４０３及びボイス集音ユニット４０４の作動により双方向ボイス伝送を完成できるようになる。
【００１６】
更に図５を参照すると、ブルートゥースヘッドフォン５０は遠距離から取ったボイスメッセージはブルートゥースヘッドフォン５０におけるボイス伝送切替えユニット５０５によりボイスを自動的に切替えると共に、信号伝送端５０２を利用し、それをブルートゥースヘッドフォンハウジング４０内の拡声ユニット４０３へ伝送し、音を発生させる。前記拡声ユニット４０３はスピーカーでもよい。また、ユーザーはボイス集音ユニット４０４により声音を集めることができる。前記ボイス集音ユニット４０４はマイクロフォンでもよく、ボイス集音ユニット４０４は集音されたボイスメッセージを前記増幅ユニット４０２によりブルートゥースヘッドフォン５０へ伝送し、双方向ボイス伝送を完成できるようになる。
【００１７】
図５を参照すると、双方向ボイス伝送を有するブルートゥースヘッドフォンハウジング４０は更に充電ユニット４０５を有し、前記充電ユニット４０５が本体４０１（図４に示すように）に設置される。ブルートゥースヘッドフォン５０が本体４０１に固着に設置される際に、ブルートゥースヘッドフォン５０内の前記信号伝送端５０２に電気的に接続され、前記信号伝送端５０２によりブルートゥースヘッドフォン５０に充電をする。
【００１８】
更に、双方向ボイス伝送を有するブルートゥースヘッドフォンハウジング４０がブルートゥースヘッドフォン５０に接合されると、内部の拡声ユニット４０３によりブルートゥースヘッドフォン５０が遠距離の携帯電話（図示せず）から取った着音ボイスメッセージを増幅し、音を発生させ、多人数にはっきり聞こえる。また、双方向ボイス伝送を有するブルートゥースヘッドフォンハウジング４０は更にボイス集音ユニット４０４を使用し、多人数のボイスメッセージをブルートゥースヘッドフォン５０に伝送すると共に、ブルートゥースヘッドフォン５０により遠距離の携帯電話（図示せず）に伝送し、双方向ボイス伝送を完成できるようになる。すると、ユーザーは双方向ボイス伝送を有するブルートゥースヘッドフォンハウジング４０を利用し、三人か多人数の通話効果を達成でき、かつ、ブルートゥースヘッドフォンハウジング４０に対して充電をし、マルチの使用機能を有し、人々の生活か仕事における通話品質と通話ニーズを高めるようになる。
【００１９】
前記したように、ここでは最良の実施の形態を示しただけであり、本考案の特徴を限定するものではない。この分野を熟知するものが行なった本考案の変形或いは改良は本考案の請求の範囲に含まれる。
【図面の簡単な説明】
【００２０】
【図１】従来のブルートゥースヘッドフォン とブルートゥース携帯電話の通信構造を示す図。
【図２】従来のブルートゥースヘッドフォン の内部回路ブロックの概念を示す図。
【図３】本考案とブルートゥースヘッドフォンの外観の概念を示す図。
【図４】本考案がブルートゥースヘッドフォンと接合する際の外観概念を示す図。
【図５】本考案がブルートゥースヘッドフォンと接合する際の回路ブロックの概念を示す図。
【図６】ブルートゥースヘッドフォンの内部回路の概念を示す図。
【図７】本考案の双方向ボイス伝送を有するブルートゥースヘッドフォンハウジングの内部回路の概念を示す図。
【符号の説明】
【００２１】
１０  ブルートゥースヘッドフォン 
１０１  ワイヤレス通信モジュール
１０２  デジタル信号プロセッサー
１０３  マイクロフォン
１０４  ヘッドフォン 
１０６  ボイス伝送及びエンコーダー/デコーダーユニット
２０、２２  ボイスメッセージ
３０  ブルートゥース携帯電話
４０  ブルートゥースヘッドフォンハウジング
４０１  本体
４０２  増幅ユニット
４０３  拡声ユニット
４０４  ボイス集音ユニット
４０５  充電ユニット
５０  ブルートゥースヘッドフォン 
５０１  ブルートゥースモジュール
５０２  信号伝送端
５０３  マイクロフォン
５０４  ヘッドフォン 
５０５  ボイス伝送切替えユニット
【図１】
0003115124.tif 000003
【図２】
0003115124.tif 000004
【図３】
0003115124.tif 000005
【図４】
0003115124.tif 000006
【図５】
0003115124.tif 000007
【図６】
0003115124.tif 000008
【図７】
0003115124.tif 000009